(57)【要約】【課題】音の発生及び下押し復帰を有するスイッチ構造を提供する。【解決手段】ベースと、下押しモジュールと、端子ユニットと、干渉用弾性板と、ハウジングとを備える。下押しモジュールは、本体と、弾性部材と、導通素子とを更に備える。また、本体は、第一壁体と、第二壁体と、下押し部とを更に含む。第一壁体及び第二壁体はベースに互いに対向する内壁部に第一空間及び第二空間が間隔をあけてそれぞれ形成される。干渉用弾性板は支持アーム及び干渉アームで構成され、その一端には当接部を有する。本体の下押し部が押されると、第一壁体がベースの底部に向けて変移すると共に当接部に当接し、干渉アーム及び支持アームが変形すると共に第一壁体に向けて変移され、且つ第一壁体が持続的に変移すると、当接部が第一壁体の外表面に当接し、支持アームの一端が第一壁体とは反対の方向に跳ね返ると共にベースの内壁部に衝突して音を発生させる。【選択図】図１
2017134905.tif 000002
【特許請求の範囲】
【請求項１】
内部には外に開放される収納空間が形成されるベースと、
前記ベースの収納空間に内設される端子ユニットと、
本体と、一端が前記本体に当接し、他端が前記ベースに当接する少なくとも１つの弾性部材と、導通素子とで構成され、前記本体は前記ベースの収納空間に可動に連結されると共に第一壁体と、第二壁体と、下押し部とを具備し、一部分が前記収納空間に露出し、前記第一壁体及び第二壁体は前記ベースの収納空間内に位置し、且つ前記第一壁体及び前記ベースが互いに対向する内壁部に第一空間が間隔をあけて形成され、前記第二壁体及び前記ベースが互いに対向する他の内壁部に第二空間が間隔をあけて形成され、前記導通素子は前記第二壁体に固設されると共に前記第二空間内に位置する下押しモジュールと、
支持アーム及び前記支持アームから延伸する干渉アームからなり、前記支持アームの一端は前記ベースに固定されると共に前記第一空間内に位置し、前記干渉アームは前記ベースの底部に向けて傾斜し、且つ前記干渉アームの前記支持アームから離れる一端には当接部を有し、前記本体の下押し部が押されると、前記第一壁体が前記ベースの底部に向けて変移すると共に前記当接部に当接し、前記干渉アーム及び支持アームが変形すると共に前記第一壁体に向けて変移し、前記第一壁体が持続的に変移すると、前記当接部が前記第一壁体の外表面に当接し、前記支持アームの他端が前記第一壁体とは反対の方向に跳ね返り、且つ前記ベースの内壁部に衝突して音を発生させる少なくとも１つの干渉用弾性板とを備えることを特徴とする、
音の発生及び下押しの手応えを有するスイッチ構造。
【請求項２】
前記干渉用弾性板の支持アームは、前記干渉アームの前記当接部に対する一端に一体成形され、前記干渉アームが前記ベースの底部に向けて傾斜し、前記当接部は前記干渉アームに一体で湾曲されると共に前記第一壁体の下方に延伸する曲げ部を更に備えることを特徴とする、請求項１に記載の音の発生及び下押しの手応えを有するスイッチ構造。
【請求項３】
前記干渉用弾性板の支持アームは上端部及び下端部を更に備え、前記下端部の一端は前記ベースに固定されると共に前記第一壁体の方向に向けて傾斜し、前記上端部は前記下端部の他端から延伸すると共に前記ベースの前記第一壁体に対向する壁部に向けて傾斜し、前記上端部、下端部及び前記ベースの内壁部がバッファ空間を共に形成し、前記支持アームが前記ベースの内壁部に衝突して発生させる音が増加することを特徴とする、請求項１に記載の音の発生及び下押しの手応えを有するスイッチ構造。
【請求項４】
前記支持アームの上端部の長さは前記下端部の長さより長く、且つ前記上端部は縦方向の断面の長さが前記干渉アームの縦方向の断面の長さより長いことを特徴とする、請求項３に記載の音の発生及び下押しの手応えを有するスイッチ構造。
【請求項５】
穴及び少なくとも１対の固定板を含むハウジングを更に備え、前記１対の固定板には少なくとも１つの係合部がそれぞれ設けられ、前記ベースが前記係合部に対応する箇所には嵌合部が設けられ、前記係合部に嵌合され、前記１対の固定板に設けられる少なくとも１つの貫通孔は、前記ベースの第一空間に対応して連通し、前記支持アームが前記ベースの内壁部に衝突する際に発生する音を外に向けて伝達させることを特徴とする、請求項１に記載の音の発生及び下押しの手応えを有するスイッチ構造。
【請求項６】
前記ベースの前記第一壁体に対向する内壁部には穿通溝が設けられて、前記ベースを穿通し、前記第一壁体の内壁部に対向すると共に前記ハウジングの貫通孔に連通することを特徴とする、請求項５に記載の音の発生及び下押しの手応えを有するスイッチ構造。
【請求項７】
前記本体の外周面には外に向けて突出する位置限定凸部が更に形成され、前記本体が変移していない場合、前記ハウジングの穴の底部に当接することを特徴とする、請求項５に記載の音の発生及び下押しの手応えを有するスイッチ構造。
【請求項８】
前記第一壁体が前記干渉アームの当接部に当接すると、前記導通素子は前記第二壁体の移動に従って前記端子ユニットに接触し、前記スイッチ構造が導通されることを特徴とする、請求項１に記載の音の発生及び下押しの手応えを有するスイッチ構造。
【請求項９】
前記本体の内部は中空部を有し、前記本体の底部に少なくとも穿通され、前記ベースの底部には前記中空部に対応する位置決め台座が凸設され、前記中空部は前記位置決め台座に沿って外に滑動し、且つ前記干渉用弾性板の当接部は前記本体が押されていない場合、前記位置決め台座の一側面に当接することを特徴とする、請求項１に記載の音の発生及び下押しの手応えを有するスイッチ構造。
【請求項１０】
前記位置決め台座に設置され、発光に用いられると共に発光された光は前記中空部を透光する発光ユニットを更に備えることを特徴とする、請求項９に記載の音の発生及び下押しの手応えを有するスイッチ構造。
【発明の詳細な説明】
【技術分野】
【０００１】
本発明は、音の発生及び下押しの手応えを有するスイッチ構造に関する。
【背景技術】
【０００２】
電子式スイッチの規格及びサイズは種類が非常に多く、応用範囲も相当に広い。一般的な精密設備、小型設備或いは小型電器でよく使用される電子式スイッチは、多くは感応スイッチ、マイクロスイッチ或いはタクトスイッチである。これらのスイッチは体積が小さく、薄く軽量であるため、空間が限られていたり、小型であるかマイクロスイッチのみ設置可能な電子設備や機器、例えば、家電製品、電子製品、マイクロコンピューター等に応用されている。
【０００３】
従来の電子式タクトスイッチは、主にプラスチックのベース及びボタンの可動軸により構成され、その作動方式はボタンが押されると可動軸が連動して、ベース内部のアノード及びカソードが駆使されて相互に接触することで導通され、電源オンとオフの切り換えを達成させる。
【発明の概要】
【発明が解決しようとする課題】
【０００４】
しかしながら、従来のマイクロスイッチの体積は極めて小さく、押した際に手応えを感じにくかった。換言すれば、使用者がスイッチを押した後に、確実且つ正確に押されて応用される製品が起動されたかが分からず、使用上不便であった。このため、前述のスイッチに改良が加えられて、内部に段差を有する構造にして、押圧感覚を与えた。
しかしながら、前述の段差はスイッチの体積が極めて小さいため、押圧の手応えも限られ、感覚フィードバック効果に事実上限界があった。また、感覚フィードバックには部材を増設させる必要があり、そうすると、スイッチの体積が大幅に増加してしまい、スイッチの配置にとって不利であった。そこで、本発明者は上記の欠点が改善可能と考え、鋭意検討を重ねた結果、合理的設計で上記の課題を効果的に改善する本発明の提案に到った。
【０００５】
本発明は、以上の従来技術の課題を解決する為になされたものである。即ち、本発明は、スイッチを押す触覚及び聴覚フィードバックがあり、使用者がスイッチが導通されたことを確実に知ることができるスイッチ構造を提供することを主目的とする。
【課題を解決するための手段】
【０００６】
上述した課題を解決し、目的を達成するための本発明に係る音の発生及び下押しの手応えを有するスイッチ構造は、内部には外に開放される収納空間が形成されるベースと、前記ベースの収納空間に内設される端子ユニットと、本体と、一端が前記本体に当接し、他端が前記ベースに当接する少なくとも１つの弾性部材と、導通素子とで構成され、前記本体は前記ベースの収納空間に可動に連結されると共に第一壁体と、第二壁体と、下押し部とを具備し、一部分が前記収納空間に露出し、前記第一壁体及び第二壁体は前記ベースの収納空間内に位置し、且つ前記第一壁体及び前記ベースが互いに対向する内壁部に第一空間が間隔をあけて形成され、前記第二壁体及び前記ベースが互いに対向する他の内壁部に第二空間が間隔をあけて形成され、前記導通素子は前記第二壁体に固設されると共に前記第二空間内に位置する下押しモジュールと、支持アーム及び前記支持アームから延伸する干渉アームからなり、前記支持アームの一端は前記ベースに固定されると共に前記第一空間内に位置し、前記干渉アームは前記ベースの底部に向けて傾斜され、且つ前記干渉アームの前記支持アームから離れる一端には当接部を有し、前記本体の下押し部が押されると、前記第一壁体が前記ベースの底部に向けて変移すると共に前記当接部に当接し、前記干渉アーム及び支持アームが変形すると共に前記第一壁体に向けて変移され、前記第一壁体が持続的に変移すると、前記当接部が前記第一壁体の外表面に当接し、前記支持アームの他端が前記第一壁体とは反対の方向に跳ね返り、且つ前記ベースの内壁部に衝突して音を発生させる少なくとも１つの干渉用弾性板とを備えることを特徴とする。
【発明の効果】
【０００７】
本発明に係るスイッチ構造は干渉用弾性板が設置され、下押しモジュールが押されて移動することで先にスイッチが導通された触感が発生し、その後干渉用弾性板がベースに衝突される音の聴覚フィードバックが発生し、これにより使用者はスイッチが導通されたことを確実に知ることができる。従来のマイクロスイッチの、押された後に導通された感覚を確実には提供できないという欠点を有効に解決する。
【図面の簡単な説明】
【０００８】
【図１】本発明に係るスイッチ構造を示す外観傾斜の組み合せ図である。
【図２】図１に示すスイッチ構造を示す展開図である。
【図３】本発明に係るスイッチ構造の干渉用弾性板を示す外観斜視図である。
【図４】本発明に係るスイッチ構造の部分を示す外観傾斜の組み合せ図である。
【図５】本発明に係るスイッチ構造の断面を示す動作の概略図である。
【図６】本発明に係るスイッチ構造の他の断面を示す動作の概略図である。
【図７】本発明に係るスイッチ構造の他の断面を示す動作の概略図である。
【図８】本発明に係るスイッチ構造の他の断面を示す動作の概略図である。
【図９】本発明に係るスイッチ構造の他の断面を示す動作の概略図である。
【発明を実施するための形態】
【０００９】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１０】
（第１実施形態）
本発明の好ましい実施形態に係る音の発生及び下押しの手応えを有するスイッチ構造１を図１から図５に示す。
本発明のスイッチ構造１は、ベース２と、下押しモジュール３と、端子ユニット４と、干渉用弾性板５と、ハウジング６とを備える。ベース２内には外に開放される収納空間２０が形成される。好ましい本実施形態において、ベース２はガラス繊維の成分を有し、且つベース２の底部は回路基板（図示せず）に接続し、スイッチ構造１の電気信号が前記回路基板により応用される製品に伝送される。端子ユニット４は収納空間２０に内設されると共に内壁部２２に近接され、端子ユニット４は１対の端子４１及び端子４２を含み、そのピンはベース２の底部２５の外に穿通され、前記回路基板に電気的に接続し、前記１対の端子４１及び端子４２の端子板４３の固定に用いられる。
【００１１】
また、下押しモジュール３は、本体３０と、２つの弾性部材３５と、導通素子３４とを備える。各弾性部材３５の一端は本体３０の底部に当接し、他端はベース２の底部２５に当接し、前記弾性部材３５は圧縮ばねである。本体３０はベース２の収納空間２０に可動に連結されると共に第一壁体３１と、前記第一壁体３１に対する第二壁体３２と、下押し部３３とを含む。下押し部３３の一部分は収納空間２０の外に露出し、且つ第一壁体３１及び第二壁体３２の上方に位置すると共に透明蓋部３６に更に連結され、使用者に押されるために用いられる。
第一壁体３１及び第二壁体３２は収納空間２０内に位置し、且つ第一壁体３１は本体３０の一側から内に凹むように成形されると共にベース２と相互に対向する内壁部２１に第一空間２０１が間隔をあけて形成される。第二壁体３２は本体３０の他側から内に凹むように成形されると共にベース２と相互に対向する他の内壁部２２に第二空間２０２が間隔をあけて形成される。導通素子３４は金属材質で製造され、第二壁体３２に固設されると共に第二空間２０２内に位置する（図５参照）。
本体３０の外周面には外に向けて突出する位置限定凸部３３１が更に形成され、ベース２の収納空間２０の内周面に密接して、本体３０のベース２内での横方向の定位を制限する。このほか、本体３０の内部には、本体３０の底部及び上部に穿通される中空部３０１を有する。ベース２の底部２５には中空部３０１に対応する位置決め台座２３が凸設され、本体３０は中空部３０１を経て位置決め台座２３に沿って外に滑動する。
【００１２】
続いて、図３乃至図５に示すように、干渉用弾性板５は支持アーム５１と、支持アーム５１の一端に一体成形される曲げ部５２と、曲げ部５２から延伸する干渉アーム５３とを備える。曲げ部５２により干渉アーム５３がベース２の底部２５及び位置決め台座２３に向けて傾斜する。なお、支持アーム５１の一端はベース２に固定されると共に第一空間２０１内に位置する。干渉アーム５３の曲げ部５２から離れる一端には少なくとも１つの当接部５３１が延出され、干渉アーム５３に一体で湾曲すると共に下に向けて傾斜して第一壁体３１の下方に延伸され、当接部５３１は本体３０が押されていない場合、位置決め台座２３の一側面に当接する。
具体的には、支持アーム５１は上端部５１１及び下端部５１２を更に含み、下端部５１２の一端はベース２に固定されると共に第一壁体３１の方向に向けて傾斜し、上端部５１１は下端部５１２の他端から延伸すると共にベース２の第一壁体３１に対向する内壁部２１に向けて傾斜し、上端部５１１、下端部５１２及びベース２の内壁部２１がバッファ空間２０３を共に形成する。換言すれば、上端部５１１及び下端部５１２が弓字型に近似する形状を共に構成し、支持アーム５１の上下の二端は本体３０が押されていない場合、内壁部２１に当接する。
上端部５１１の長さは下端部５１２の長さより長く、且つ上端部５１１の縦方向の断面の長さは干渉アーム５３の縦方向の断面の長さより長く、干渉用弾性板５の変形及び跳ね返りに利する（詳細は後述する）。このほか、干渉アーム５３の末端は更に分割されると共に２つの当接部５３１が延伸して形成され、圧力を受けて、干渉用弾性板５を連動させて変移させるために用いられる（詳細は後述する）。
【００１３】
さらに、ハウジング６は穴６０と、１対の固定板６１及び固定板６２とを備え、前記１対の固定板６１及び固定板６２には少なくとも１つの係合部６３がそれぞれ設けられる。ベース２の内壁部２１及び内壁部２２には係合部６３に対応する嵌合部２４が設けられ、係合部６３に嵌合されて、前記１対の固定板６１及び固定板６２により内壁部２１及び内壁部２２の外が被覆され、ベース２の構造強度が強化され、且つ本体３０の縦方向の変移が制限される（詳細は後述する）。
【００１４】
本発明のスイッチ構造１は、載置部７０及び発光ダイオード７１を含む発光ユニット７を更に備える。そのピンはベース２の底部２５の外に穿通されて、前記回路基板に電気的に接続するために使用される（図１及び図４参照）。載置部７０は位置決め台座２３に設けられ、発光ダイオード７１は発光に使用され、且つ発光された光は本体３０の中空部３０１及び蓋部３６を透過して、スイッチ構造１のオンとオフの状態の識別に利用される。
【００１５】
本発明に係るスイッチ構造１が押されていない場合、本体３０は変移されず、第一壁体３１が干渉アーム５３の当接部５３１の上方に位置し、且つ位置限定凸部３３１がハウジング６の穴６０の底部に当接する（図５及び図９参照）。
使用時には、前記下押しモジュール３の本体３０が押され、弾性部材３５が圧力を受けて変形し、本体３０がベース２の底部２５に向けて変移し、第一壁体３１が当接部５３１に接触する（図６参照）。
持続的に押されると、第一壁体３１が当接部５３１に当接し、干渉アーム５３及び支持アーム５１が変形し、且つ第一壁体３１に向けて変移され（図７参照）、更に感覚フィードバックを使用者に与える。また、導通素子３４は第二壁体３２の移動に従って端子ユニット４の前記１対の端子４１及び端子４２に接触し、スイッチ構造１が導通される（図７及び図８参照）。
第一壁体３１が持続的に変移すると、当接部５３１が第一壁体３１の外表面に当接し（図８参照）、その後、干渉用弾性板５の変形により、当接部５３１が第一壁体３１に当接すると共に上に向けて移動し、支持アーム５１の他端が自動的に第一壁体３１とは反対の方向に向けて跳ね返ると共にベース２の内壁部２１に衝突して音を発生させ（図９参照）、使用者更にスイッチが導通されたことを確実に知らせる。
前記バッファ空間２０３により支持アーム５１の前記端及び内壁部２１が局部的な衝突を形成させる際に、衝突音が増強される。下押しモジュール３に対する押圧が一旦解除されると、弾性部材３５の受力が消失して原状が回復され、且つ本体３０が上に向けて押圧される前の位置まで移動する。同時に、干渉用弾性板５も図５に示す位置まで回復する。
【００１６】
ハウジング６の固定板６１には、ベース２の第一空間２０１に対応して連通される少なくとも１つの貫通孔６１１が設けられる。ベース２の内壁部２１には、内壁部２１に穿通されると共に前記貫通孔６１１に連通する穿通溝２１１が設けられる。貫通孔６１１及び穿通溝２１１が設置されることで支持アーム５１がベース２の内壁部２１に衝突する際に発生させる音が外に向けて伝達され、前記音が外から聴き取りやすくなる。このほか、バッファ空間２０３が設置されることで前記衝突音が反響して増幅され、穿通溝２１１及び貫通孔６１１から外に向けて伝達される。
【００１７】
以上のとおり、本発明のスイッチ構造１は、干渉用弾性板５が設置され、下押しモジュール３が押されて移動することで先にスイッチが導通される触感が発生し、その後干渉用弾性板５がベース２に衝突する音の聴覚フィードバックが発生する。これにより、使用者はスイッチが導通されたことを確実に知ることができ、従来のマイクロスイッチの、押された後に導通された手応えを確実には感じ取れないという欠点を有効に解決する。
【００１８】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００１９】
１  スイッチ構造
２  ベース
２０  収納空間
２０１  第一空間
２０２  第二空間
２０３  バッファ空間
２１、２２  内壁部
２１１  穿通溝
２３  位置決め台座
２４  嵌合部
２５  底部
３  下押しモジュール
３０  本体
３０１  中空部
３１  第一壁体
３２  第二壁体
３３  下押し部
３３１  位置限定凸部
３４  導通素子
３５  弾性部材
３６  蓋部
４  端子ユニット
４１、４２  端子
４３  端子板
５  干渉用弾性板
５１  支持アーム
５１１  上端部
５１２  下端部
５２  曲げ部
５３  干渉アーム
５３１  当接部
６  ハウジング
６０  穴
６１、６２  固定板
６１１  貫通孔
６３  係合部
７  発光ユニット
７０  載置部
７１  発光ダイオード
【図１】
2017134905.tif 000003
【図２】
2017134905.tif 000004
【図３】
2017134905.tif 000005
【図４】
2017134905.tif 000006
【図５】
2017134905.tif 000007
【図６】
2017134905.tif 000008
【図７】
2017134905.tif 000009
【図８】
2017134905.tif 000010
【図９】
2017134905.tif 000011
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
内部には外に開放される収納空間が形成されるベースと、
前記ベースの収納空間に内設される端子ユニットと、
本体と、一端が前記本体に当接し、他端が前記ベースに当接する少なくとも１つの弾性部材と、導通素子とで構成され、前記本体は前記ベースの収納空間に可動に連結されると共に第一壁体と、第二壁体と、下押し部とを具備し、一部分が前記収納空間に露出し、前記第一壁体及び第二壁体は前記ベースの収納空間内に位置し、且つ前記第一壁体及び前記ベースが互いに対向する内壁部に第一空間が間隔をあけて形成され、前記第二壁体及び前記ベースが互いに対向する他の内壁部に第二空間が間隔をあけて形成され、前記導通素子は前記第二壁体に固設されると共に前記第二空間内に位置する下押しモジュールと、
支持アーム及び前記支持アームから延伸する干渉アームからなり、前記支持アームの一端は前記ベースに固定されると共に前記第一空間内に位置し、前記干渉アームは前記ベースの底部に向けて傾斜し、且つ前記干渉アームの前記支持アームから離れる一端には当接部を有し、前記本体の下押し部が押されると、前記第一壁体が前記ベースの底部に向けて変移すると共に前記当接部に当接し、前記干渉アーム及び支持アームが変形すると共に前記第一壁体に向けて変移し、前記第一壁体が持続的に変移すると、前記当接部が前記第一壁体の外表面に当接し、前記支持アームの他端が前記第一壁体とは反対の方向に跳ね返り、且つ前記ベースの内壁部に衝突して音を発生させる少なくとも１つの干渉用弾性板とを備え、
前記本体の内部は中空部を有し、前記本体の底部に少なくとも穿通され、前記ベースの底部には前記中空部に対応する位置決め台座が凸設され、前記中空部は前記位置決め台座に沿って外に滑動し、且つ前記干渉用弾性板の当接部は前記本体が押されていない場合、前記位置決め台座の一側面に当接することを特徴とする、
音の発生及び下押しの手応えを有するスイッチ構造。
【請求項２】
前記干渉用弾性板の支持アームは、前記干渉アームの前記当接部に対する一端に一体成形され、前記干渉アームが前記ベースの底部に向けて傾斜し、前記当接部は前記干渉アームに一体で湾曲されると共に前記第一壁体の下方に延伸する曲げ部を更に備えることを特徴とする、請求項１に記載の音の発生及び下押しの手応えを有するスイッチ構造。
【請求項３】
前記干渉用弾性板の支持アームは上端部及び下端部を更に備え、前記下端部の一端は前記ベースに固定されると共に前記第一壁体の方向に向けて傾斜し、前記上端部は前記下端部の他端から延伸すると共に前記ベースの前記第一壁体に対向する壁部に向けて傾斜し、前記上端部、下端部及び前記ベースの内壁部がバッファ空間を共に形成し、前記支持アームが前記ベースの内壁部に衝突して発生させる音が増加することを特徴とする、請求項１に記載の音の発生及び下押しの手応えを有するスイッチ構造。
【請求項４】
前記支持アームの上端部の長さは前記下端部の長さより長く、且つ前記上端部は縦方向の断面の長さが前記干渉アームの縦方向の断面の長さより長いことを特徴とする、請求項３に記載の音の発生及び下押しの手応えを有するスイッチ構造。
【請求項５】
穴及び少なくとも１対の固定板を含むハウジングを更に備え、前記１対の固定板には少なくとも１つの係合部がそれぞれ設けられ、前記ベースが前記係合部に対応する箇所には嵌合部が設けられ、前記係合部に嵌合され、前記１対の固定板に設けられる少なくとも１つの貫通孔は、前記ベースの第一空間に対応して連通し、前記支持アームが前記ベースの内壁部に衝突する際に発生する音を外に向けて伝達させることを特徴とする、請求項１に記載の音の発生及び下押しの手応えを有するスイッチ構造。
【請求項６】
前記ベースの前記第一壁体に対向する内壁部には穿通溝が設けられて、前記ベースを穿通し、前記第一壁体の内壁部に対向すると共に前記ハウジングの貫通孔に連通することを特徴とする、請求項５に記載の音の発生及び下押しの手応えを有するスイッチ構造。
【請求項７】
前記本体の外周面には外に向けて突出する位置限定凸部が更に形成され、前記本体が変移していない場合、前記ハウジングの穴の底部に当接することを特徴とする、請求項５に記載の音の発生及び下押しの手応えを有するスイッチ構造。
【請求項８】
前記第一壁体が前記干渉アームの当接部に当接すると、前記導通素子は前記第二壁体の移動に従って前記端子ユニットに接触し、前記スイッチ構造が導通されることを特徴とする、請求項１に記載の音の発生及び下押しの手応えを有するスイッチ構造。
【請求項９】
前記位置決め台座に設置され、発光に用いられると共に発光された光は前記中空部を透光する発光ユニットを更に備えることを特徴とする、請求項１に記載の音の発生及び下押しの手応えを有するスイッチ構造。
【手続補正２】
【補正対象書類名】明細書
【補正対象項目名】０００６
【補正方法】変更
【補正の内容】
【０００６】
上述した課題を解決し、目的を達成するための本発明に係る音の発生及び下押しの手応えを有するスイッチ構造は、内部には外に開放される収納空間が形成されるベースと、前記ベースの収納空間に内設される端子ユニットと、本体と、一端が前記本体に当接し、他端が前記ベースに当接する少なくとも１つの弾性部材と、導通素子とで構成され、前記本体は前記ベースの収納空間に可動に連結されると共に第一壁体と、第二壁体と、下押し部とを具備し、一部分が前記収納空間に露出し、前記第一壁体及び第二壁体は前記ベースの収納空間内に位置し、且つ前記第一壁体及び前記ベースが互いに対向する内壁部に第一空間が間隔をあけて形成され、前記第二壁体及び前記ベースが互いに対向する他の内壁部に第二空間が間隔をあけて形成され、前記導通素子は前記第二壁体に固設されると共に前記第二空間内に位置する下押しモジュールと、支持アーム及び前記支持アームから延伸する干渉アームからなり、前記支持アームの一端は前記ベースに固定されると共に前記第一空間内に位置し、前記干渉アームは前記ベースの底部に向けて傾斜され、且つ前記干渉アームの前記支持アームから離れる一端には当接部を有し、前記本体の下押し部が押されると、前記第一壁体が前記ベースの底部に向けて変移すると共に前記当接部に当接し、前記干渉アーム及び支持アームが変形すると共に前記第一壁体に向けて変移され、前記第一壁体が持続的に変移すると、前記当接部が前記第一壁体の外表面に当接し、前記支持アームの他端が前記第一壁体とは反対の方向に跳ね返り、且つ前記ベースの内壁部に衝突して音を発生させる少なくとも１つの干渉用弾性板とを備え、前記本体の内部は中空部を有し、前記本体の底部に少なくとも穿通され、前記ベースの底部には前記中空部に対応する位置決め台座が凸設され、前記中空部は前記位置決め台座に沿って外に滑動し、且つ前記干渉用弾性板の当接部は前記本体が押されていない場合、前記位置決め台座の一側面に当接することを特徴とする。